(57)【要約】      （修正有）【課題】多機能携帯電話器やその他の携帯通信端末の画面を、片手の指先でも円滑に安定良くタッチ操作できる片手操作補助用具を提供する。【解決手段】粘着力のある表面又は／及び厚みのある木口面が操作手の指先掛止面となり得る粘着力とゴム状弾力性を有する物質から、携帯通信端末Ｐ又はその保護カバーの背面１０よりも小面積の大きさと輪郭形状に作成されたマット体Ｍと、そのマット体Ｍの表裏両面へ自己粘着力によって貼り合わされた離型用のマスキングシートとから成り、マット体Ｍにおける少なくとも裏面のマスキングシートを剥離して、携帯通信端末Ｐ又はその保護カバーにおける背面の希望する部分位置へ、自己粘着力により着脱自在に貼り付け使用するように定めた。【選択図】図３
0003173947.tif 000002
【実用新案登録請求の範囲】
【請求項１】
粘着力のある表面又は／及び厚みのある木口面が操作手の指先掛止面となり得る粘着力とゴム状弾力性を有する物質から、携帯通信端末又はその保護カバーの背面よりも小面積の大きさと輪郭形状に作成されたマット体と、
そのマット体の表裏両面へ自己粘着力によって貼り合わされた離型用のマスキングシートとから成り、
上記マット体における少なくとも裏面のマスキングシートを剥離して、携帯通信端末又はその保護カバーにおける背面の希望する部分位置へ、自己粘着力により着脱自在に貼り付け使用するように定めたことを特徴とする携帯通信端末の片手操作補助用具。
【請求項２】
マット体の厚みを０．５mmよりも厚く、貼り付け使用する携帯通信端末の厚みよりは薄く設定したことを特徴とする請求項１記載の携帯通信端末の片手操作補助用具。
【請求項３】
マット体の断面形状をほぼ凸文字形として、その木口面に操作手の指先掛止面となり得る左右対称な切り欠き段差面を列設したことを特徴とする請求項１記載の携帯通信端末の片手操作補助用具。
【請求項４】
マット体に携帯通信端末の装飾用となる着色カラー又は着色模様を施したことを特徴とする請求項１記載の携帯通信端末の片手操作補助用具。
【請求項５】
マット体に文字、図形若しくは記号又はこれらの結合から成る標章を切り抜いたことを特徴とする請求項１記載の携帯通信端末の片手操作補助用具。
【請求項６】
マット体の輪郭形状を長方形、正方形又は楕円形として、１個若しくは複数個の指先挿入孔を開口形成するか、又はその１辺若しくは平行な２辺の木口面を指先掛止面となり得る階段状態に切り欠いたことを特徴とする請求項１記載の携帯通信端末の片手操作補助用具。
【考案の詳細な説明】
【技術分野】
【０００１】
本考案は多機能携帯電話器（ｉＰｈｏｎｅ４（登録商標）の如きスマートフォン）やその他の携帯通信端末を、片手の指先でも円滑に安定良くタッチ操作できるようにするための補助用具に関する。
【背景技術】
【０００２】
従来の携帯電話器ではその器体を背後から片手で握り持ち乍ら、その片手の親指によって必要なボタン操作を行っているが、最近のスマートフォンと通称されている多機能携帯電話器の場合、その画面の露出状態にある（非折りたたみ式）器体の横幅が広く、比較的に厚肉でもあるため、これを背後から握り持った片手の親指が、画面のタッチ操作したい目標個所まで届き難く、両手の使用を余儀なくされている意味において、大変不便である。
【０００３】
その対策となる発明が特許文献１、２に記載されている。
【先行技術文献】
【特許文献】
【０００４】
【特許文献１】特開２００９−２３９８７７号公報
【特許文献２】特開２００７−５３６０３号公報
【考案の概要】
【考案が解決しようとする課題】
【０００５】
上記特許文献１に開示された公知発明は携帯電話器における操作盤（３）の底面に指掛け段差（５）や、同じく操作盤（３）の下辺に指掛け切欠（６）を設けたものであり、そのためこれらを有する特別な仕様として、携帯電話器の製造当初から設けておかなければならず、汎用性がない。既に市販されている各種携帯電話器へ、ユーザーが言わば後付け式や互換式に適用することもできないのである。
【０００６】
他方、上記特許文献２に開示された公知発明は、携帯電話用指固定具（１０）として、その吸着部（吸盤）（２）を携帯電話器（９０）の背面へ着脱自在に取り付け固定するようになっているため、特許文献１の上記問題はないと言えるが、２本の指を押圧部（１）と吸着部（２）との上下相互間へ挿入できるように、その接続部（３）の長さ（垂立高さ）を例示された１０mm以上に寸法化する必要があり、その結果指固定具（１０）を携帯電話器（９０）の背面へ取り付け固定した使用状態では勿論のこと、これを携帯電話器（９０）から取りはずした状態でも、大きく嵩張って、衣服のポケットなどへ安定良く収納・携帯し難く、その携帯中に破損しやすい問題がある。
【課題を解決するための手段】
【０００７】
本考案はこのような諸問題の抜本的な解決を目的としており、その目的を達成するために、請求項１では粘着力のある表面又は／及び厚みのある木口面が操作手の指先掛止面となり得る粘着力とゴム状弾力性を有する物質から、携帯通信端末又はその保護カバーの背面よりも小面積の大きさと輪郭形状に作成されたマット体と、
【０００８】
そのマット体の表裏両面へ自己粘着力によって貼り合わされた離型用のマスキングシートとから成り、
【０００９】
上記マット体における少なくとも裏面のマスキングシートを剥離して、携帯通信端末又はその保護カバーにおける背面の希望する部分位置へ、自己粘着力により着脱自在に貼り付け使用するように定めたことを特徴とする。
【００１０】
又、請求項２ではマット体の厚みを０．５mmよりも厚く、貼り付け使用する携帯通信端末の厚みよりは薄く設定したことを特徴とする。
【００１１】
請求項３ではマット体の断面形状をほぼ凸文字形として、その木口面に操作手の指先掛止面となり得る左右対称な切り欠き段差面を列設したことを特徴とする。
【００１２】
請求項４ではマット体に携帯通信端末の装飾用となる着色カラー又は着色模様を施したことを特徴とする。
【００１３】
請求項５ではマット体に文字、図形若しくは記号又はこれらの結合から成る標章を切り抜いたことを特徴とする。
【００１４】
更に、請求項６ではマット体の輪郭形状を長方形、正方形又は楕円形として、１個若しくは複数個の指先挿入孔を開口形成するか、又はその１辺若しくは平行な２辺の木口面を指先掛止面となり得る階段状態に切り欠いたことを特徴とする。
【考案の効果】
【００１５】
請求項１の構成によれば、片手操作補助用具のマット体から裏面のマスキングシートを剥離して、そのマット体を携帯通信端末自身又はその保護カバーにおける背面の希望する使いやすい部分位置へ貼り付け、表面のマスキングシートも剥離することにより露出したマット体の粘着力がある表面か、又は表面のマスキングシートは剥離せずに、そのマット体の厚みがある木口面へ、操作手（片手）における親指以外の任意な指先を掛け止めて、携帯通信端末を確実に安定良く握り持ち乍ら、その操作手（片手）の残る親指を携帯通信端末の画面へ上方（表側）から臨ませて、その画面の目標個所を無理なく広範囲にタッチ操作することができ、両手を使う必要のない利便性がある。
【００１６】
又、上記マット体は粘着力を有する物質から成り、その自己粘着力によって携帯通信端末又はその保護カバーの背面へ着脱自在に貼り付け使用するため、その希望をする部分位置への貼り替えに便利であることは勿論、接着剤を介した接着手段のような剥離後の見苦しい痕跡が発生せず、マット体の表面が経時的に汚損したような場合でも、洗浄することにより、容易に反復使用できる効果がある。
【００１７】
更に、上記マット体の表裏両面には離型用のマスキングシートが貼り合わされているため、その粘着力の露出による取扱い上の困難性がなく、ゴム状の弾力性を有することとも相俟って、衣服のポケットや袋物などへ安心して収納・携帯できるのである。
【００１８】
その場合、請求項２の構成を採用するならば、その片手操作補助用具のマット体を貼り付け使用する携帯通信端末が、いたずらに厚肉化して、衣服のポケットや袋物などへ収納・携帯し難くなることを予防でき、片手操作補助用具自身の製造コストダウンを図れる効果もある。
【００１９】
特に、請求項３の構成を採用するならば、マット体の断面形状が凸文字形として、その木口面に設けられた左右対称な切り欠き段差面へ、操作手（片手）の指先を安定良く掛け止めることができ、このことはそのマット体を表裏反転して携帯通信端末へ貼り付け使用したとしても、ほぼ同等に達成されるため、又左勝手と右勝手との区別なく掛け止め使用できるため、マット体の自己粘着力とも相俟って、携帯通信端末の握り持ち効果と、その画面の片手によるタッチ操作性がますます向上する。
【００２０】
請求項４の構成を採用するならば、そのマット体の着色カラー又は着色模様により、これが貼り付け使用される携帯通信端末に、希望のカラフルな装飾効果を与えることができ、そのアクセサリーとして役立つ。
【００２１】
請求項５の構成を採用するならば、そのマット体に切り抜いた文字、図形若しくは記号又はこれらの結合から成る標章によって、やはりこれが貼り付け使用される携帯通信端末に、各種興趣変化を与えることができ、その通信端末のアクセサリー効果が向上する。
【００２２】
更に、請求項６の構成を採用するならば、マット体に開口する指先挿入孔やマット体の木口面に切り欠かれた階段形状が、そのマット体の装飾効果を発揮するほか、その指先挿入孔の開口縁部や木口面の階段形状を指先掛止面として、これらに操作手（片手）の指先を一層確実に安定良く掛け止め得る効果がある。
【図面の簡単な説明】
【００２３】
【図１】本考案に係る携帯通信端末用片手操作補助用具の第１実施形態を示す斜面図である。
【図２】図１の２−２線断面図である。
【図３】その片手操作補助用具を携帯通信端末の背面へ貼り付けた使用状態の斜面図である。
【図４】上記片手操作補助用具の使用法を示す正面図である。
【図５】図４の背面図である。
【図６】図５の６−６線断面図である。
【図７】図５の７−７線断面図である。
【図８】携帯通信端末における保護カバーの背面に片手操作補助用具を貼り付けた使用状態の図３に対応する斜面図である。
【図９】本考案に係る携帯通信端末用片手操作補助用具の第２実施形態を示す斜面図である。
【図１０】図９の１０−１９線断面図である。
【図１１】その片手操作補助用具を携帯通信端末の背面へ貼り付けた使用状態の斜面図である。
【図１２】上記片手操作補助用具の使用法を示す図６に対応する断面図である。
【図１３】上記片手操作補助用具の使用法を示す図７に対応する断面図である。
【図１４】マット体の変形実施形態を示す斜面図である。
【図１５】その使用状態を示す断面図である。
【図１６】そのマット体の別な使用状態を示す図１５に対応する断面図である。
【図１７】指先挿入孔を設けたマット体の斜面図である。
【図１８】木口面を階段状態に切り欠いたマット体の斜面図である
【図１９】レンガ着色模様を与えたマット体の平面図である。
【図２０】図形の標章を型抜き加工したマット体の平面図である。
【考案を実施するための形態】
【００２４】
以下、図面に基いて本考案の具体的構成を詳述すると、先ず図１〜７はその本考案に係る携帯通信端末用片手操作補助用具の第１実施形態を示しており、（Ｍ）はゴムや合成樹脂、熱可塑性エラストマー（ＴＰＥ）（好ましくはスチレン系熱可塑性エラストマーやウレタン系熱可塑性エラストマー）、アクリロニトリルブタジエンゴム（ＮＢＲ）とポリプロピレングリコール（ＰＰＧ）との合成物、その他の粘着力とゴム状弾力性を有する物質から作成されマット体であって、携帯通信端末（Ｐ）における就中スマートフォンと通称されている多機能携帯電話器の背面（１０）よりも小面積の任意な輪郭形状（図例では幅／横が３０mm×長さ／縦が６０mmのほぼ長方形）をなしている。
【００２５】
上記マット体（Ｍ）の厚み（ｔ）については、その表面の粘着力が強く（高い粘着性）、粘着力だけでも操作手の指先を位置決め固定状態に掛け止めることができる場合には薄くても良く、０．５mm以上あれば足りる。
【００２６】
しかし、マット体（Ｍ）における表面の粘着力が弱く（低い粘着性）、その粘着力だけでは操作手の指先を掛け止め維持することが困難である場合には、その厚み（ｔ）を３mm以上に増して、マット体（Ｍ）の木口面（切断面／周辺面）（１１）へ操作手の指先を掛け止めることができるように設定しなければならない。
【００２７】
何れにしても、マット体（Ｍ）の厚み（ｔ）を貼り付け使用する携帯通信端末（Ｐ）の厚み（Ｔ）よりも厚くする必要性はなく、その上限を越えると、携帯通信端末（Ｐ）の背面（１０）へ貼り付けた使用状態において、いたずらに大きく嵩張ることとなり、衣服のポケットなどに安定良く収納・携帯し難く、量産効果の低下も招来する。
【００２８】
但し、マット体（Ｍ）の大きさ（粘着面積）が過小であると、そのマット体（Ｍ）自身が携帯通信端末（Ｐ）の背面（１０）から早期に剥離してしまったり、引き裂かれてしまったりするおそれがあるため、上記粘着力の強さや大きさなどとの関係を総合的に考慮して、マット体（Ｍ）の厚み（ｔ）を適当に設定する。その意味から言えば、マット体（Ｍ）の厚み（ｔ）を１mm〜５mmの範囲内において選定することが好ましい。
【００２９】
この点、図１〜７の第１実施形態では１２５mm（長さ／縦）×５２mm（幅／横）×１２mm（厚み）の寸法を有する多機能携帯電話器（Ｐ）の背面（１０）へ貼り付け使用する粘着力が強いマット体（Ｍ）の一例として、６０mm（長さ／縦）×３０mm（幅／横）×２mm（厚み）の大きさ・輪郭形状（ほぼ長方形）を示している。
【００３０】
（１２ａ）（１２ｂ）は上記マット体（Ｍ）の表裏両面へ、自己粘着力により各々貼り合わされた離型用のマスキングシートであって、好ましくは互いに同じ透明又は半透明の合成樹脂フィルムから成り、その粘着力があるマット体（Ｍ）の表裏両面を平滑状態に被覆・保護して、そのマット体（Ｍ）の取り扱いやすさと塵埃などの付着防止を達成している。
【００３１】
本考案に係る片手操作補助用具の第１実施形態は上記した構成を備えており、そのマット体（Ｍ）の表裏両面がマスキングシート（１２ａ）（１２ｂ）により被覆・保護された状態の販売品として、市場に提供されることになるため、これを購買したユーザーが使用するに当っては、図３のように、上記マット体（Ｍ）の裏面からマスキングシート（１２ｂ）を剥離して、その露出した裏面の自己粘着力により、マット体（Ｍ）を携帯通信端末（Ｐ）の背面（１０）へ貼り付け一体化する。
【００３２】
その場合、上記片手操作補助用具のマット体（Ｍ）は携帯通信端末（Ｐ）の背面（１０）よりも小面積の任意な輪郭形状（図例ではほぼ長方形）に作成されているため、これをユーザーの希望する部分位置へ貼り付ければ良い。この点、図例では携帯通信端末（Ｐ）における背面（１０）のほぼ右半部へ貼り付け使用している。更に、着脱自在であるため、貼り付け位置の変更・調整も便利良く行え、その際接着剤のような見苦しい剥離痕跡が残ることはない。
【００３３】
そして、次に上記マット体（Ｍ）の表面からマスキングシート（１２ａ）を剥離し、そのマット体（Ｍ）の露出した表面へ、図４〜７のように、操作手（片手）における５指のうち、親指（１３）を除く任意な３指の指先（１４）（１５）（１６）を粘着させるのである。
【００３４】
そうすれば、これら合計３本の指先（１４）（１５）（１６）がマット体（Ｍ）の自己粘着力によって、その表面ヘ位置決め固定状態に掛止されることになるため、その片手の上記指先（１４）（１５）（１６）にて携帯通信端末（Ｐ）を、たとえ器体の横幅（Ｗ）が広かったり、器体の厚肉であったりしても、確実に安定良く握り持つことができ、その握り持ち状態のもとで上記片手の残る親指（１３）を携帯通信端末（Ｐ）の画面（１７）へ、上方（表側）から臨ませて横方向や縦方向へ、自由に余裕を持って伸ばせる結果、その画面（１７）の目標個所を広範囲にタッチ操作することができ、ページをめくる如き自由な操作も支障なく行えるのである。
【００３５】
図１〜７の第１実施形態では携帯通信端末（Ｐ）自身の背面（１０）へ、その片手操作補助用具のマット体（Ｍ）を貼り付け使用しているが、これに代えて、その携帯通信端末（Ｐ）を落下などの物理的な衝撃から守る合成樹脂製又はゴム製保護カバー（Ｃ）における背面（１８）の希望する部分位置へ、上記マット体（Ｍ）を図８のように貼り付け使用しても良い。その方法は上記携帯通信端末（Ｐ）の背面（１０）に対するそれと同じである。
【００３６】
何れにしても、マット体（Ｍ）の表面が経時的に汚損したならば、これを携帯通信端末（Ｐ）やその保護カバー（Ｃ）の背面（１０）（１８）から剥離して、水や洗剤により洗浄すれば良い。その表面の低下した自己粘着力が回復するから、何回も繰り返し使用することができる。
【００３７】
次に、図９〜１３は本考案に係る片手操作補助用具の第２実施形態を示しており、これでは表面の粘着力が弱いため、マット体（Ｍ）の厚み（ｔ）を上記第１実施形態のそれよりも厚く、例えば４．０mmとして、そのマット体（Ｍ）の木口面（切断面／周辺面）（１１）へ操作手（片手）の指先を掛け止めることができるようになっている。
【００３８】
その厚み（ｔ）を除く構成の全体は上記第１実施形態のそれと実質的に同一であり、マット体（Ｍ）の表裏両面にはやはりマスキングシート（１２ａ）（１２ｂ）が貼り合わされているが、第２実施形態の片手操作補助用具を使用する場合には、そのマット体（Ｍ）の裏面からマスキングシート（１２ｂ）を剥離して、携帯通信端末（Ｐ）の背面（１０）へ貼り付けた後、図１１〜１３のように、表面のマスキングシート（１２ａ）は剥離せず、そのマット体（Ｍ）の表面を被覆・保護した平滑状態のままに放置する。
【００３９】
そして、上記マット体（Ｍ）の比較的厚肉な木口面（１１）へ、操作手（片手）の親指（１３）を除く任意な３指の指先（１４）（１５）（１６）を掛止させるのであり、そうすればマット体（Ｍ）の弱い自己粘着力と厚みの充分な木口面（１１）によって、合計３本の指先（１４）（１５）（１６）を位置決め固定状態に保持し得るため、その片手の指先（１４）（１５）（１６）にて携帯通信端末（Ｐ）を確固に安定良く握り持つことができ、その状態のもとで上記片手の残る親指（１３）を携帯通信端末（Ｐ）の画面（１７）へ、上方（表側）から臨ませて自由に縦横方向へ伸ばせる結果、その画面（１７）の目標個所をやはり広範囲に且つ円滑にタッチ操作し得るのである。
【００４０】
その場合、マット体（Ｍ）の表面はマスキングシート（１２ａ）によって、その粘着力のない平滑状態に被覆・保護されているため、上記片手の指先（１４）（１５）（１６）による握り持ちや親指（１３）によるタッチ操作などに、障害や抵抗を与えるおそれはない。
【００４１】
又、マット体（Ｍ）はその木口面（１１）に掛止された操作手（片手）の動きを受けて、使用中に弾性変形することもあるが、そのマット体（Ｍ）は自づと復元するため、繰り返し使用に支障を生じることもない。
【００４２】
図１〜１３に示した第１、２実施形態のマット体（Ｍ）は、一定な厚み（ｔ）の単純な平板形態（断面長方形）をなしているが、第１、２実施形態の何れにあっても、次のようなマット体（Ｍ）の各種変形実施形態を採用することができ、本考案の範疇に属する。
【００４３】
即ち、マット体（Ｍ）の断面形状を図１４〜１６のようなほぼ凸文字形に成形して、その表面と裏面との選択的に（表裏反転して）貼り付け使用するように定めても良い。そうすれば、その断面凸文字形の木口面（１１）に列設された左右対称な切り欠き段差面を操作手の指先掛止面（１１ａ）として、ここへ操作手（片手）の指先を一層確実に安定良く掛け止めることができる。
【００４４】
マット体（Ｍ）の輪郭形状を長方形、正方形又は楕円形として、これに図１７のような１個又は複数個の指先挿入孔（１９）を開口形成することにより、その指先挿入孔（１９）の開口縁部を指先掛止面（１９ａ）として、ここへ操作手（片手）の指先を掛け止めることができるように定めても良い。
【００４５】
又、マット体（Ｍ）の輪郭形状をやはり長方形、正方形又は楕円形として、その任意な１辺又は平行な２辺の木口面（１１）を図１８のような階段状態に切り欠くことにより、その階段状態の指先掛止面（１１ｂ）へ操作手（片手）における複数本の指先を掛け止めることができるように定めても良い。
【００４６】
マット体（Ｍ）の作成時に携帯通信端末（Ｐ）の装飾用となる黄色や青色、黒色、金属色などの１色又は多色のカラーを与えたり、図１９のようなレンガ模様や縞柄模様、豹柄模様、その他の着色模様（２０）を施しても良い。
【００４７】
更に、マット体（Ｍ）へ図２０のような文字、図形若しくは記号又はこれらの結合から成る標章（２１）を、型抜き加工などにより切り抜いて、そのマット体（Ｍ）自身やこれを貼り付け使用する携帯通信端末（Ｐ）に、興趣変化を与えることも考えられる。
【符号の説明】
【００４８】
（１０）（１８）・背面
（１１）・木口面
（１１ａ）（１１ｂ）（１９ａ）・指先掛止面
（１２ａ）（１２ｂ）・マスキングシート
（１３）（１４）・（１５）（１６）・指先
（１７）・画面
（１９）・指先挿入孔
（２０）・着色模様
（２１）・標章
（Ｃ）・保護カバー
（Ｍ）・マット体
（Ｐ）・携帯通信端末
【図１】
0003173947.tif 000003
【図２】
0003173947.tif 000004
【図３】
0003173947.tif 000005
【図４】
0003173947.tif 000006
【図５】
0003173947.tif 000007
【図６】
0003173947.tif 000008
【図７】
0003173947.tif 000009
【図８】
0003173947.tif 000010
【図９】
0003173947.tif 000011
【図１０】
0003173947.tif 000012
【図１１】
0003173947.tif 000013
【図１２】
0003173947.tif 000014
【図１３】
0003173947.tif 000015
【図１４】
0003173947.tif 000016
【図１５】
0003173947.tif 000017
【図１６】
0003173947.tif 000018
【図１７】
0003173947.tif 000019
【図１８】
0003173947.tif 000020
【図１９】
0003173947.tif 000021
【図２０】
0003173947.tif 000022